(57)【要約】【課題】カルチベータ中骨ビームの縦型シャンク用ブラケットを利用してその近傍に脱着可能な横型シャンク用ブラケットを形成する。【解決手段】カルチベータの中骨ビームに固定された縦型シャンク用ブラケットと、この縦型シャンク用ブラケットに脱着可能に結合される結合ブラケットで構成される。結合ブラケットは、縦型シャンク用ブラケットの固定位置下方の中骨ビーム下面縁辺に当接される基盤フレームに、前記中骨ビームの縦型シャンク用ブラケットに脱着される縦型の結合シャンクと横型シャンク用ブラケットを一体形成した結合ブラケットからなり、この結合ブラケットの結合シャンクを前記中骨ビームに固定された縦型シャンク用ブラケットに着脱可能に結合できる構成とした。【選択図】図１
2010279276.tif 000002
【特許請求の範囲】
【請求項１】
カルチベータの中骨ビームに作業アタッチメントを装着するためのシャンクブラケット構造であって、中骨ビームに固定された縦型シャンク用ブラケットと；この縦型シャンク用ブラケットの固定位置下方の中骨ビーム向き面縁辺に当接される基盤フレームに、前記中骨ビームに固定された縦型シャンク用ブラケットに脱着される縦型の結合シャンクと横型シャンク用ブラケットを一体形成した結合ブラケットからなり、この結合ブラケットの縦型結合シャンクを前記中骨ビームに固定された縦型シャンク用ブラケットに着脱可能に結合できる構成としたことを特徴とするカルチベータ中骨ビームのシャンクブラケット構造
【請求項２】
結合ブラケットの基盤フレーム上向き縁辺とこの縁辺を当接する中骨ビーム下向き縁辺を、相互に係合する屈折縁辺に形成した請求項１記載のカルチベータ中骨ビームのシャンクブラケット構造
【請求項３】
中骨ビーム下面縁辺に当接される基盤フレームに、前記中骨ビームに固定された縦型シャンク用ブラケットに脱着される縦型の結合シャンクと横型シャンク用ブラケットを一体形成したことを特徴とするカルチベータ中骨ビームのシャンクブラケット構造に用いられる結合ブラケット
【発明の詳細な説明】
【技術分野】
【０００１】
この発明はトラクタなどに牽引されるカルチベータの中骨ビームに各種作業アタッチメントを装着するためのシャンクブラケット構造及びこの構造に用いられる結合ブラケットに関する。
【背景技術】
【０００２】
図４に例示するように、トラクタに牽引されるカルチベータは、牽引横バー１に沿って複数のカルチベータユニット２が一定間隔で結合されている。
各カルチベータユニット２は、図５に示すように、四点リンク機構３を介して弾力的に上下移動する中骨ビーム４に深耕爪５ａ、除草環５ｂ、コルター５ｃなどの各種作業アタッチメント５を選択的にあるいは併用して取付けられるようになっている。
図１に示すように、各作業アタッチメントは縦型シャンク（取り付け軸）６を有するものと横型シャンク７を有するものがあり、目的に応じて付け換えて使用される。このため、中骨ビーム４は作業アタッチメント５の縦型シャンク６が結合される縦型シャンク用ブラケット６ａ（以下、縦型ブラケット６ａと略記）と横型シャンク７が結合される横型シャンク用ブラケット７ａ（以下、横型ブラケット７ａと略記）を備えている必要がある。
【先行技術文献】
【特許文献】
【０００３】
【特許文献１】特公平８−２４４４２号公報
【発明の概要】
【発明が解決しようとする課題】
【０００４】
ところが、培土作業や中耕除草などの多目的カルチベータにおいては、作業工程や時期により作業機の縦・横シャンクと中骨ビームの縦・横ブラケットの位置が適合しないことが起こる。このため、従来は図６及び図７に示すように、縦型ブラケット６aが固定されている位置に横型シャンク７を有する作業機を取付けるためには、図６の縦型ブラケット６ａを中骨ビーム４から取り外してから図７に示す横型ブラケット７ａに組み換えていた。  
しかしながらこの組み換えには数多くのボルト・ナットの脱着が必要であることから作業が煩雑になる。
【０００５】
他方、特公平８−２４４４２号公報に開示されているように（図８参照）、中骨ビーム４に複数の縦型ブラケット６ａと横型ブラケット７ａを一体形成により併設した複合ブラケットを取付けたものもあるが、このものは組み換えは容易であるが製造コストが高額になるという問題があった。
【０００６】
従って、本発明の第１の目的は、中骨ビームに固定した縦型ブラケットを利用してボルト１本の脱着で中骨ビームの所定位置に縦型ブラケットと横型ブラケットを選択的に形成することができるカルチベータ中骨ビームのシャンクブラケット構造を提供することにある。
【０００７】
本発明の他の目的は上記シャンクブラケット構造に用いられる結合ブラケットを提供することにある。
【課題を解決するための手段】
【０００８】
上記第１の目的を達成するために、本発明によるカルチベータの中骨ビームシャンクブラケット構造は、中骨ビームに固定された縦型シャンク用ブラケットと；この縦型シャンク用ブラケットの固定位置下方の中骨ビーム下面縁辺に当接される基盤フレームに、前記中骨ビームに固定された縦型シャンク用ブラケットに脱着される縦型の結合シャンクと組み換え横型シャンク用ブラケットを一体形成した結合ブラケットからなり、この結合ブラケットの縦型結合シャンクを前記中骨ビームに固定された縦型シャンク用ブラケットに着脱可能に結合できる構成としたことを特徴とする。
【０００９】
好ましくは、結合ブラケットの基盤フレーム上面縁辺とこの縁辺を当接する中骨ビーム下面縁辺を相互に係合する屈折縁辺に形成する。
【００１０】
上記第２の目的は、中骨ビーム下面縁辺に当接される基盤フレームに、前記中骨ビームに固定された縦型シャンク用ブラケットに脱着される縦型の結合ブラケットと組み換え横型シャンク用ブラケットを一体形成した結合ブラケットによって達成される。
【発明の効果】
【００１１】
本発明は、中骨ビームに固定されている縦型シャンク用ブラケットと、基盤フレームに前記縦型シャンク用ブラケットに挿入される縦型の結合シャンクと組み換え横型シャンク用ブラケットを一体結合した結合ブラケットからなるので、縦型シャンクを有する作業機を使用するときは、従来と同様に既設の縦型ブラケットに作業機の縦型シャンクを挿入し、脱着押しボルトで固着することができる。
他方、中骨ビームに固定されている既設の縦型シャンク用ブラケットの近接位置に横型シャンクの作業機を装着したいときは、結合ブラケットの結合シャンクを中骨ビームに固定されている縦型シャンク用ブラケットの嵌合部に挿入し、前記脱着押しボルトで結合シャンクを締め付けて結合する。結合ブラケットの組み換え横型シャンク用ブラケットは、前記結合シャンクに近接して基盤フレームに一体形成されているので、結合ブラケットの縦型結合シャンクを中骨ビームの既設の縦型ブラケットに固着すると当該既設の縦型シャンク用ブラケットの近接位置に組み換え横型シャンク用ブラケットが自動的に組み付けられる。
【００１２】
かくして、中骨ビームの所定位置に縦型シャンク用ブラケットと横型シャンク用ブラケットを併設してなくても当該所定位置に縦型シャンク作業機と横型シャンク作業機を選択的に装着することができる。
【図面の簡単な説明】
【００１３】
【図１】本発明によるシャンクブラケット構造の要部構成図
【図２】本発明を構成する結合ブラケットを装着した状態のカルチベータ中骨ビーム
【図３】結合ブラケットを外した状態のカルチベータ中骨ビーム
【図４】カルチベータの全体斜視図
【図５】カルチベータユニット側面図
【図６】従来のカルチベータ中骨ビームのシャンクブラケット取付図
【図７】従来のカルチベータ中骨ビームのシャンクブラケット取付図
【図８】従来のカルチベータ中骨ビームのシャンクブラケット取付図
【発明を実施するための形態】
【００１４】
以下、本発明の好ましい実施例を添付図面に基づいて説明する。
本発明によるカルチベータ中骨ビームのシャンクブラケット構造は、図１に示すように、中骨ビーム４にボルト１２などで固定された縦型シャンク用ブラケット６ａ（以下、縦型ブラケット６ａと略記）と、この縦型ブラケット６ａ下方の中骨ビーム下面縁辺１３に係合させて組み付けられる結合ブラケット１０で構成されている。
【００１５】
結合ブラケット１０は、前記縦型ブラケット６ａ下方の中骨ビーム下面縁辺１３に当接・係合される基盤フレーム１４に、中骨ビーム４の前記縦型ブラケット６ａの断面コの字状縦ガイド１５に挿入される縦型の結合シャンク８と組み換え横型シャンク用ブラケット９（以下、組み換え横型ブラケット９と略記）を近接させて一体形成したブロック状の部材に構成されている。
【００１６】
この結合ブラケット１０は、図１及び図２に示すように、結合シャンク８を中骨ビーム４に固定した縦型ブラケット６ａのコの字状縦ガイド１５に挿入しながら基盤フレーム１４の上向き縁辺１６を中骨ビーム４の下向き縁辺１３に当接・係合させた後、縦型ブラケット６ａに挿入した縦型の結合シャンク８を脱着押しボルト１１を締め付けて結合することにより、中骨ビーム４の既設縦型ブラケット６ａの近傍に組み換え横型ブラケット９が新たに形成され、この組み換え横型ブラケット９に横型シャンク作業機の横型シャンク７を挿入してボルト１７で固定することができるようになっている。
【００１７】
結合ブラケット１０の基盤フレーム１４の上向き縁辺１６と中骨ビーム４の下向き縁辺１３は相互に安定状態に当接され、結合シャンク８や組み換え横型ブラケット９などの周辺部材に過大な負荷がかからないようにすることが望ましい。このため好ましくは、図１、図２に示すように、相互の当接係合面に曲折部を形成した縁辺（図の実施例では水平面１６ａ、１３ａと傾斜面１６ｂ、１３ｂ）に形成する。
【００１８】
図の実施例の結合ブラケット１０は、結合シャンク８の左側に組み換え横型ブラケット９を配置しているが、既設の縦型ブラケットの位置によっては、結合シャンク８と組み換え横型ブラケット９の配置は逆でもよい。また、結合ブラケット１０の組み換え横型ブラケット９は基盤フレーム１４の表・裏どちら側に突出させてもよい。
【産業上の利用可能性】
【００１９】
中骨ビームの既設の縦型シャンクブラケットを利用してその近傍に組み換え横型シャンク用ブラケットを選択的に形成できるので、低コストでカルチベータを多目的に使用することができ、農耕作業に広く利用できる。
【符号の説明】
【００２０】
１…牽引横バー
２…カルチベータユニット
３…四点リンク機構
４…中骨ビーム
５、５ａ、５ｂ、５ｃ…作業アタッチメント
６…縦型シャンク
６ａ…縦型シャンク用ブラケット
７…横型シャンク
７ａ…横型シャンク用ブラケット
８…結合シャンク
９…組み換え横型シャンク用ブラケット
１０…結合ブラケット
１１…脱着押しボルト
１２…ボルト
１３…中骨ビーム下向き縁辺
１４…基盤フレーム
１５…コの字状縦ガイド
１６…フレーム上向き縁辺
１７…ボルト
【図１】
2010279276.tif 000003
【図２】
2010279276.tif 000004
【図３】
2010279276.tif 000005
【図４】
2010279276.tif 000006
【図５】
2010279276.tif 000007
【図６】
2010279276.tif 000008
【図７】
2010279276.tif 000009
【図８】
2010279276.tif 000010
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
カルチベータの中骨ビームに作業アタッチメントを装着するためのシャンクブラケット構造であって、中骨ビームに固定された縦型シャンク用ブラケットと；この縦型シャンク用ブラケットの固定位置下方の中骨ビーム下向き縁辺に当接される基盤フレームに、前記中骨ビームに固定された縦型シャンク用ブラケットに脱着される縦型の結合シャンクと組み換え横型シャンク用ブラケットを一体形成した結合ブラケットからなり、この結合ブラケットの縦型結合シャンクを前記中骨ビームに固定された縦型シャンク用ブラケットに着脱可能に結合できる構成とし、さらに、結合ブラケットの基盤フレーム上向き縁辺とこの縁辺を当接する中骨ビーム下向き縁辺を、相互に係合する屈折縁辺に形成したことを特徴とするカルチベータ中骨ビームのシャンクブラケット構造
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
上記第１の目的を達成するために、本発明によるカルチベータの中骨ビームシャンクブラケット構造は、中骨ビームに固定された縦型シャンク用ブラケットと；この縦型シャンク用ブラケットの固定位置下方の中骨ビーム下向き縁辺に当接される基盤フレームに、前記中骨ビームに固定された縦型シャンク用ブラケットに脱着される縦型の結合シャンクと組み換え横型シャンク用ブラケットを一体形成した結合ブラケットからなり、この結合ブラケットの縦型結合シャンクを前記中骨ビームに固定された縦型シャンク用ブラケットに着脱可能に結合できる構成とし、さらに、結合ブラケットの基盤フレーム上向き縁辺とこの縁辺を当接する中骨ビーム下向き縁辺を、相互に係合する屈折縁辺に形成したことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】